(57)【要約】【課題】  左右一対の脚の間隔を調節できるようにしてヘッドレストの交換を可能にすると共に、ヘッドレストに、強い、大きな衝撃や振動が加わっても、脚と本体部との連結箇所に故障を来たさないようにする。【解決手段】  後面にモニター１を設けている本体部２の下面からシート３の背の上面の孔４に挿し込む左右一対の棒状の脚５を下方に平行に延ばしているヘッドレストである。本体部２の中に垂直板６を設ける。この垂直板６の略中央部に前後方向の軸８を中心に回転する歯車７を設ける。脚５の上部に垂直板６の歯車７側に重合するプレート９を夫々設ける。この各プレート９に、歯車７と噛合する鋸歯状の歯１０を、歯車７を上下から挟む状態で少なくとも上下何れか一方の辺に形成している横長水平状のガイド孔１１を形成する。またプレート９を左右方向に案内する案内部１２を垂直板６に形成する。【選択図】      図１
0003117267.tif 000002
【実用新案登録請求の範囲】
【請求項１】
後面にモニターが設けられている本体部の下面からシートの背の上面の孔に挿し込まれる左右一対の棒状の脚が下方に平行に延ばされているヘッドレストであって、本体部の中に垂直板が設けられ、この垂直板の略中央部に前後方向の軸を中心に回転する歯車が設けられ、上記の脚の上部に垂直板の歯車側に重合されるプレートが夫々設けられ、この各プレートに、歯車と噛合する鋸歯状の歯が歯車を上下から挟む状態で少なくとも上下何れか一方の辺に形成されている横長水平状のガイド孔が形成され、またプレートを左右方向に案内する案内部が垂直板に形成されていることを特徴とするヘッドレスト。
【請求項２】
請求項１記載のヘッドレストであって、案内部が、垂直板の上下位置に、各プレートの上下の辺と係合する上下一対のガイドレール状に形成されていることを特徴とするヘッドレスト。
【請求項３】
請求項１又は２記載のヘッドレストであって、案内部が、垂直板に、軸を前後に向けて且つ重合する各プレートの厚み分だけ頭部が垂直板から離されて固定されているボルト状部材と、プレートに横長水平状に形成されると共に、ボルト状部材の軸が通されるスリットとで形成されていることを特徴とするヘッドレスト。
【考案の詳細な説明】
【技術分野】
【０００１】
本考案は、車両のシートに取り付けて使用するヘッドレストに関し、更に詳しくは後面（背面）にモニターが設けられているヘッドレストに関するものである。
【背景技術】
【０００２】
従来この種のヘッドレストとしては、例えば左右一対の棒状の脚の上部が内側に鉤形に屈曲されて水平状に形成され、この脚の水平部が本体部に形成されている下向き状の舌片部に、横方向にスライド自在に挿し込まれ、これにより脚の間隔が調節可能になるよう形成されているものがある（例えば特許文献１参照）。
【０００３】
ところでこの種のヘッドレストは、車種ごと、シートに合わせて専用品として形成されている。従って既存のヘッドレストを、例えばモニター付きのヘッドレストに交換したいとき、そのままではシートの背の上面の孔に、ヘッドレストの脚を挿し込むことができないから、この種のヘッドレストは左右一対の脚の間隔が調節可能に形成されているのが望ましい。
従来品は、このような要望から提案され、脚の間隔を調節できるものであるが、この従来品は、上記の通り、本体部の舌片部に、脚の上部の水平部を通すことにより、脚のスライドを可能にしているものであった。従ってこの従来品によると、脚と本体部との連結箇所の物理的強度が低下し、本体部の前面に、強い、大きな衝撃や振動が加わると、上記の連結箇所から損壊し易い、という問題点があった。
【特許文献１】特開２００５−１３７８４８号公報
【考案の開示】
【考案が解決しようとする課題】
【０００４】
本考案は、このような従来の問題点に鑑み、提案されたものである。
従って本考案が解決しようとする技術的課題は、左右一対の脚の間隔を調節できるようにしてヘッドレストの交換を可能にすると共に、ヘッドレストに、強い、大きな衝撃や振動が加わっても、脚と本体部との連結箇所に故障、支障を来たさないよう形成した、丈夫で耐久性の高いヘッドレストを提供することにある。
【課題を解決するための手段】
【０００５】
本考案は、上記の課題を解決するため、次のような技術的手段を採る。
即ち本考案は、図１等に示されるように、後面にモニター１が設けられている本体部２の下面からシート３の背の上面の孔４に挿し込まれる左右一対の棒状の脚５が下方に平行に延ばされているヘッドレストであって、本体部２の中に垂直板６が設けられ、この垂直板６の略中央部に前後方向の軸８を中心に回転する歯車７が設けられ、上記の脚５の上部に垂直板６の歯車７側に重合されるプレート９が夫々設けられ、この各プレート９に、歯車７と噛合する鋸歯状の歯１０が歯車７を上下から挟む状態で少なくとも上下何れか一方の辺に形成されている横長水平状のガイド孔１１が形成され、またプレート９を左右方向に案内する案内部１２が垂直板６に形成されていることを特徴とする（請求項１）。
【０００６】
この場合、本考案は、案内部１２が、垂直板６の上下位置に、各プレート９の上下の辺９ａと係合する上下一対のガイドレール状に形成されているのが好ましい（請求項２）。
なぜならこれによると、簡単で安価な仕組みによって各プレート９を左右方向にスライドさせることができるからである。
【０００７】
また本考案は、案内部１２が、垂直板６に、軸１２ａ１を前後に向けて且つ重合する各プレート９の厚み分だけ頭部１２ａ２が垂直板６から離されて固定されているボルト状部材１２ａと、プレート９に横長水平状に形成されると共に、ボルト状部材１２ａの軸１２ａ１が通されるスリット１２ｂとで形成されているのでも良い（請求項３）。
なぜならこれによっても、各プレート９を円滑にスライドさせることができるからである。またこの請求項３記載の案内部１２と、請求項２記載の案内部１２とを併せる場合は、一層、確実且つ円滑に各プレート９をスライド移動させることができるものである。
【考案の効果】
【０００８】
本考案は、このように本体部の中に垂直板を設け、この垂直板の略中央部に前後方向の軸を中心に回転する歯車を設け、脚の上部に垂直板の歯車側に重合するプレートを夫々設け、この各プレートに、歯車と噛合する鋸歯状の歯を、歯車を上下から挟む状態で少なくとも上下何れか一方の辺に形成している横長水平状のガイド孔を形成し、またプレートを左右方向に案内する案内部を垂直板に形成しているものである。
従って本考案によれば、左右一対の脚の間隔を調節できるだけではなく、ヘッドレストに大きく、強い衝撃、振動が加わっても、脚と本体部との連結箇所に故障を来たさない、丈夫で耐久性の高いヘッドレストを提供できる。
【考案を実施するための最良の形態】
【０００９】
以下、本考案の好適な一実施形態を、添付図面に従って説明する。
本考案は、後面にモニター１が設けられている本体部２の下面からシート３の背の上面の孔４に挿し込まれる左右一対の棒状の脚５が下方に平行に延ばされているヘッドレストである。
【００１０】
本考案は、上記の本体部２の中に、例えば金属製の垂直板６が設けられている。７は、この垂直板６の略中央部に設けられている歯車である。この歯車７は、前後方向の軸８を中心に回転する。
【００１１】
９は、垂直板６の歯車７側に重合されるプレートである。このプレート９は、上記の各脚５の上部に、夫々旗状に設けられている。この各プレート９には、歯車７と噛合する鋸歯状の歯１０が歯車７を上下から挟む状態で少なくとも上下何れか一方の辺に形成されている横長水平状のガイド孔１１が形成されている。この実施形態では、図１Ｂにおいて、右側のプレート９は、歯１０がガイド孔１１の上辺に形成され、左側のプレート９は、歯１０がガイド孔１１の下辺に形成され、各プレート９とも、一方の辺のみ鋸歯状の歯１０に形成されている。
【００１２】
また垂直板６には、プレート９を左右方向に案内する上下一対のガイドレール状の案内部１２が形成されている。この案内部１２は、垂直板６の上下位置に、各プレート９の上下の辺９ａと係合するよう、垂直板６を前方に凸段差状に打ち出し成形することで、平行且つ水平状に形成されている。
またこの実施形態に係る本考案では、更に、ボルト状部材１２ａと、このボルト状部材１２ａの軸１２ａ１が通されるスリット１２ｂとでなる案内部１２が、形成されている。ボルト状部材１２ａは、垂直板６に、軸１２ａ１を前後に向けて且つ重合する各プレート９の厚み分だけ頭部１２ａ２が垂直板６から離されて、この実施形態では上下位置に左右一対状固定されている。またスリット１２ｂは、プレート９の上下位置に横長水平状に形成されている。なお本体部２の下面には、脚５を通すための横孔１３（図４等参照）が、左右方向に延びて形成されている。また１４は、モニター１のコードである。
【００１３】
次に本考案の作用を説明する。
図６において、使用者が脚５を左右に押し広げると、歯車７に係合するプレート９が、案内部１２に案内されて、右側の脚５は右側方に移動し、左側の脚５は左側方に移動する。この場合、本考案品は、鋸歯状の歯１０が歯車７に噛み合わされているから、左右何れか一方の脚５を外側方に移動することで、回転する歯車７によって他方の脚５が反対側の外側方に移動する。従って本考案によると、軽く小さな力で楽に脚５の間隔を調節できる。
そしてシート３の孔４の間隔に合わせて脚５の間隔を調節したら、図２に示されるように、シート３の孔４に脚５を挿し込み、シート３に本考案品を装着する。この場合、モニター１のコード１４は、予めシート３の孔４に通して配線しておく。
【図面の簡単な説明】
【００１４】
【図１】本考案のヘッドレストの好適な一実施形態を示し、Ａは要部側面図、Ｂは要部正面図である。
【図２】同上ヘッドレストの取付作用を説明するための要部斜視図である。
【図３】同上ヘッドレストの取り付けられた車両を示す要部斜視図である。
【図４】同上ヘッドレストの要部斜視図である。
【図５】同上ヘッドレストの要部背面図である。
【図６】同上ヘッドレストの作用を説明するための要部正面図である。
【図７】同上ヘッドレストの要部底面図である。
【図８】同上ヘッドレストの脚を拡げたときの要部正面図である。
【図９】同上ヘッドレストの脚を縮めたときの要部正面図である。
【図１０】図８のＸ−Ｘ線における要部断面図である。
【図１１】図８のＸＩ−ＸＩ線における要部断面図である。
【図１２】図９のＸＩＩ−ＸＩＩ線における要部断面図である。
【符号の説明】
【００１５】
１    モニター
２    本体部
３    シート
４    孔
５    脚
６    垂直板
７    歯車
８    軸
９    プレート
１０  鋸歯状の歯
１１  ガイド孔
１２  案内部
【図１】
0003117267.tif 000003
【図２】
0003117267.tif 000004
【図３】
0003117267.tif 000005
【図４】
0003117267.tif 000006
【図５】
0003117267.tif 000007
【図６】
0003117267.tif 000008
【図７】
0003117267.tif 000009
【図８】
0003117267.tif 000010
【図９】
0003117267.tif 000011
【図１０】
0003117267.tif 000012
【図１１】
0003117267.tif 000013
【図１２】
0003117267.tif 000014